(57)【要約】  【課題】容易かつ簡易に電極を体表に密着することができる心電図用電極保持装置の提供  【解決手段】心電図用電極保持装置１は、電極１３が人指し指〜小指の中手骨と手根骨との接続部あたりに配置されるように装着されている。特に、誘導電極１３３の一つは、人指し指の中手骨と手根骨との接続部あたりに配置されている。また、接地電極１３１および誘導電極１３３は、ともに掌に対して外側に向かう方向に配置されている。これにより、手を移動させるだけで容易に電極を体表に密着させることができる。また、電極を体表に密着させる位置を容易に調整することができる。【選択図】    図２
2006346308.tif 000002
【特許請求の範囲】
【請求項１】
被検者の体表に密着させるための電極、
前記電極が配置される電極保持部であって、前記被検者の手に装着するための電極保持部、
を有する心電図用電極保持装置であって、
前記電極保持部は、
前記被検者の手の表面とは反対方向に向かうように、少なくとも一の前記電極が配置されていること、
を特徴とする心電図用電極保持装置。
【請求項２】
請求項１に係る心電図用電極保持装置において、
前記電極は、
少なくとも接地電極を有しており、
前記電極保持部は、
前記接地電極が、前記被検者の手の表面の方向に向かうように配置されていること、
を特徴とする心電図用電極保持装置。
【請求項３】
請求項１又は請求項２に係る心電図用電極保持装置のいずれかにおいて、
前記心電図用電極保持装置は、
複数の前記電極を有し、隣接する前記電極間の間隔は、肋骨間の間隔であること、
を特徴とする心電図用電極保持装置。
【請求項４】
請求項１〜請求項３に係る心電図用電極保持装置のいずれかにおいて、
前記電極保持部は、
当該心電図用電極保持装置の長さを調整する調整部を有しており、当該調整部によって当該心電図用電極保持装置の長さを調整することによって、当該心電図用電極保持装置を前記被検者の手に固定的に装着するものであること、
を特徴とする心電図用電極保持装置。
【請求項５】
請求項１〜請求項４に係る心電図用電極保持装置のいずれかにおいて、
一の前記電極は、
人指し指の中手骨と手根骨との接続部から中指の中手骨と手根骨との接続部までのあたりに配置されること、
を特徴とする心電図用電極保持装置。
【請求項６】
請求項１〜請求項５に係る心電図用電極保持装置のいずれかにおいて、
前記心電図用電極保持装置は、
前記電極が人指し指、中指、薬指及び小指の中手骨と手根骨との接続部あたりに配置されるように装着されるものであること、
を特徴とする心電図用電極保持装置。
【請求項７】
請求項１〜請求項５に係る心電図用電極保持装置のいずれかにおいて、
前記心電図用電極保持装置は、
前記電極が人指し指の中手骨と手根骨との接続部から親指の中手骨と手根骨との接続部にかけての領域に配置されるように装着されるものであること、
を特徴とする心電図用電極保持装置。
【請求項８】
被検者の体表に密着させるための複数の電極、
前記複数の電極が一列に配置される帯状の電極保持部であって、当該心電図用電極保持装置の長さを調整する面ファスナーを有しており、当該面ファスナーによって当該心電図用電極保持装置の長さを調整することによって、当該心電図用電極保持装置を前記被検者の手に固定的に装着する帯状電極保持部、
を有する心電図用電極保持装置であって、
前記帯状電極保持部は、
当該心電図用電極保持装置を前記被検者の手に固定的に装着した際に、当該被検者の掌から外側に向かうように前記電極が配置されていること、
を特徴とする心電図用電極保持装置。
【発明の詳細な説明】
【技術分野】
【０００１】
本発明は、心電図用電極保持装置であって、特に、手に装着するものに関する。
【背景技術】
【０００２】
従来の心電図用電極保持装置である心電図用電極装着帯を図１４を用いて説明する。心電図用電極装着帯１０１は、被検者１０２が装着したときに、被検者１０２の右肩前部１０２ａから胸部右側部１０２ｂ、左肩前部１０２ｃから胸部左側部１０２ｄ、及び胸部中央部１０２ｅから胸部両側部１０２ｂ、１０２ｄにかけて体表を覆いつつ、適所に設けられた弾性体１０３の付勢力によって、被検者１０２の体表に密着される着帯部１０４と、該着帯部１０４の、前記右肩前部１０２ａから胸部右側部１０２ｂ、前記左肩前部１０２ｃから胸部左側部１０２ｄ、及び前記胸部中央部１０２ｅから前記胸部両側部１０２ｂ、１０２ｄにかけて密着される部分に、各々設けられた３つの電極１０５ａ、１０５ｂ、１０５ｃと、を備えるものである。
【０００３】
【特許文献１】特開２００３−２２００４３
【発明の開示】
【発明が解決しようとする課題】
【０００４】
前述の心電図用電極装着帯１０１には、次のような問題点がある。心電図用電極装着帯１０１は、肩から胸部にかけて装着するものであり、大がかりな装置となっている。したがって、簡易に心電図をとることに用いるには不便である。
【０００５】
そこで、本発明は、容易かつ簡易に電極を体表に密着することができる心電図用電極保持装置を提供することを目的とする。
【課題を解決するための手段】
【０００６】
本発明に関する課題を解決するための手段及び発明の効果を以下に示す。
【０００７】
本発明に係る心電図用電極保持装置は、被検者の体表に密着させるための電極、前記電極が配置される電極保持部であって、前記被検者の手に装着するための電極保持部、を有する心電図用電極保持装置であって、前記電極保持部は、前記被検者の手の表面とは反対方向に向かうように、少なくとも一の前記電極が配置されている。
【０００８】
これにより、手を移動させるだけで容易に電極を体表に密着させることができる。また、電極を体表に密着させる位置を容易に調整することができる。
【０００９】
本発明に係る心電図用電極保持装置は、前記電極は、少なくとも接地電極を有しており、前記電極保持部は、前記接地電極が、前記被検者の手の表面の方向に向かうように配置されている。
【００１０】
これにより、心電図用電極保持装置を心臓の位置とは反対側の手に装着することによって、安定した接地電位を得ることができる。したがって、心電図において安定したピークを容易に得ることができる。
【００１１】
本発明に係る心電図用電極保持装置は、複数の前記電極を有し、隣接する前記電極間の間隔は、肋骨間の間隔である。
【００１２】
これにより、電極の位置を心電図をとるために適当な位置に容易に配置することができる。
【００１３】
本発明に係る心電図用電極保持装置では、前記電極保持部は、当該心電図用電極保持装置の長さを調整する調整部を有しており、当該調整部によって当該心電図用電極保持装置の長さを調整することによって、当該心電図用電極保持装置を前記被検者の手に固定的に装着するものである。
【００１４】
これにより、心電図用電極保持装置を容易かつ確実に手に固定することができる。
【００１５】
本発明に係る心電図用電極保持装置では、一の前記電極は、人指し指又は中指の中手骨と手根骨との接続部あたりに配置される。
【００１６】
これにより、少なくとも一の電極は確実に体表に密着させることができる。
【００１７】
本発明に係る心電図用電極保持装置は、前記電極が人指し指、中指、薬指及び小指の中手骨と手根骨との接続部あたりに配置されるように装着されるものである。
【００１８】
これにより、電極を確実に体表に密着させることができる。また、親指、人指し指、中指、薬指及び小指を比較的自由に動かすことができるので、掌を容易に体表に沿った形とすることができる。したがって、電極を体表に確実に密着させることができる。
【００１９】
本発明に係る心電図用電極保持装置は、前記電極が人指し指の中手骨と手根骨との接続部から親指の中手骨と手根骨との接続部にかけての領域に配置されるように装着されるものである。
【００２０】
これにより、電極を確実に体表に密着させることができる。また、親指、人指し指、中指、薬指及び小指を比較的自由に動かすことができるので、掌を容易に体表に沿った形とすることができる。したがって、電極を体表に確実に密着させることができる。
【００２１】
本発明に係る心電図用電極保持装置は、被検者の体表に密着させるための複数の電極、前記複数の電極が一列に配置される帯状の電極保持部であって、当該心電図用電極保持装置の長さを調整する面ファスナーを有しており、当該面ファスナーによって当該心電図用電極保持装置の長さを調整することによって、当該心電図用電極保持装置を前記被検者の手に固定的に装着する帯状電極保持部、を有する心電図用電極保持装置であって、前記帯状電極保持部は、当該心電図用電極保持装置を前記被検者の手に固定的に装着した際に、当該被検者の掌から外側に向かうように前記電極が配置されている。
【００２２】
これにより、手を移動させるだけで容易に電極を体表に密着させることができる。また、電極を体表に密着させる位置を容易に調整することができる。さらに、面ファスナーによって、心電図用電極保持装置を容易かつ確実に手に固定することができる。さらに、電極が人指し指、中指、薬指及び小指の中手骨と手根骨との接続部あたりに配置されるように心電図用電極保持装置を装着することができるので、電極を確実に体表に密着させることができる。さらに、親指、人指し指、中指、薬指及び小指を比較的自由に動かすことができるので、掌を容易に体表に沿った形とすることができ、電極を体表に確実に密着させることができる。
【００２３】
「肋骨間の間隔」とは、厳密に肋骨間の距離をいうのではなく、平均的な人間の肋骨間の間隔程度を基準にして決められる距離をいう。
【発明を実施するための最良の形態】
【００２４】
本発明における心電図用電極保持装置の実施例を以下において説明する。
【実施例１】
【００２５】
1.構成
本発明に係る心電図用電極保持装置１の構成を図１に示す平面図に基づいて説明する。心電図用電極保持装置１は、電極保持部１１、電極１３を有している。
【００２６】
電極保持部１１は、帯状の形状を有している。また、電極保持部１１は、電極配置部１１１および係止部１１３を有している。電極配置部１１１には、電極１３が一列に配置される。係止部１１３は、面ファスナーたるマジックテープ（商標）１１５を有している。被検者は、当該マジックテープによって、自らの手のサイズに合うように心電図用電極保持装置１の長さを調整して、心電図用電極保持装置１を手に固定的に装着することができる。また、係止部１１３は、弾力性がある材料により構成されている。係止部１１３の弾力性により、より安定して心電図用電極保持装置１を手に固定することが可能となる。
【００２７】
また、電極配置部１１１及び係止部１１３は、柔軟性を有する材料により構成されている。この柔軟性により、電極配置部１１１及び係止部１１３を手の動きに容易に追従させることができる。
【００２８】
電極１３は、１つの接地電極１３１と２つの誘導電極１３３とを有している。接地電極１３１は、２つの誘導電極１３３の間に配置される。接地電極１３１と誘導電極１３３との間隔Ｌは、ほぼ肋骨間の間隔となるように構成されている。
【００２９】
また、接地電極１３１及び誘導電極１３３は、丸型の形状を有している。なお、電極の形状については、丸形に限定されず、角形等であってもよい。
【００３０】
心電図用電極保持装置１を手に装着した状態を図２に示す。図２では、掌（手のひら）側から心電図用電極保持装置１が装着された状態を見たものである。心電図用電極保持装置１は、電極１３が人指し指〜小指の中手骨と手根骨との接続部あたりに配置されるように装着されている。特に、誘導電極１３３の一つは、人指し指の中手骨と手根骨との接続部あたりに配置されている。なお、中指の中手骨と手根骨との接続部あたりに配置するようにしてもよい。
【００３１】
また、接地電極１３１および誘導電極１３３は、ともに掌に対して外側に向かう方向に配置されている。
【００３２】
なお、心電図用電極保持装置１は、右手、左手のいずれにも装着可能である。ただし、一般的には、心臓に対して電極１３をより自由に配置できることから、右手に装着することが多いと思われる。なお、左手に装着しても、特に支障がでるわけではなく、個人の好みによるところが大きい。
【００３３】
2.  装着方法
ここで、心電図用電極保持装置１を被検者の手に装着する方法を図３〜図５を用いて説明する。図３に示すように、被検者は、電極配置部１１１が掌側にくるように心電図用電極保持装置１を配置する。このとき、電極配置部１１１に配置されている電極１３が被検者の手の表面とは反対方向に向かうように、つまり、被検者の掌から外側に向かうようにする。また、被検者は、電極１３を人指し指〜小指の中手骨と手根骨との接続部あたりに配置することが望ましい。一般的に、人指し指〜小指の中手骨と手根骨との接続部あたりは、掌において他の部位よりも出っ張っている。したがって、被検者が掌を胸に押し当てたときに、接地電極１３１及び誘導電極１３３を容易に体表に密着させることができる。
【００３４】
次に、図４に示すように、被検者は、係止部１１３を手の甲側に回し、マジックテープ１１５を用いて心電図用電極保持装置１の長さを調整し、心電図用電極保持装置１を被検者の手に固定するように装着する。
【００３５】
3.  心電図測定方法
次に、図５、図６を用いて、心電図用電極保持装置１を用いた心電図測定方法を説明する。図５に示すように、心電図用電極保持装置１を手に装着した被検者は、手を移動させて、電極を胸のあたりの体表に密着させる。心電図用電極保持装置１では、電極１３が被検者の掌から外側に向かうように配置されているので、体表に容易に密着させることができる。また、電極１３は人指し指〜小指の中手骨と手根骨との接続部あたりに配置されているので、被検者は、五指を比較的容易に動作させることができる。したがって、被検者は、五指を動かすことによって、電極１３がより胸部体表に密着するように掌の形を整えることが可能となる。
【００３６】
なお、図６に示すように、被検者は、矢印Ａ１〜４の方向へ手を動かして、最も心電図がとりやすい電極１３の位置を調整するようにする。このとき、心電図用電極保持装置１は、手と一体となっているため、胸のあたりの体表に対する電極１３（図示せず）の位置関係を容易に変えることができる。通常、電極の配置によって心電図がうまくとれたりとれなかったりするが、心電図用電極保持装置１を用いることによって、被検者は、心電図を確実にとれる位置に電極１３を容易に配置することができる。
【００３７】
［その他の実施例］
1.構成
前述の実施例１においては、心電図用電極保持装置１は、帯状の形状を有しているがこれに限定されない。例えば、図７Ａに示すように、ミトン型のグローブ型としてもよい。ミトン型とすることによって、手への装着が容易となる。また、図８Ａに示すように、５本指型のグローブ型としてもよい。５本指型とすることによって、心電図用電極保持装置１を装着した場合でも、指を自由に動かすことが可能となり、利便性が向上する。また、図７に示すミトン型、図８に示す５本指型において、さらに、指の部分を切断した形状（図７Ｂ、図８Ｂ参照）としてもよい。このように、指の部分を切断することによって、より容易に各指を動かすことが可能となる。
【００３８】
さらに、図９に示すように、係止部１１３を有さないバンド型としてもよい。この場合、バンド部１１５の少なくとも一部に伸縮性のある材料を用いることによって、心電図用電極保持装置１の手への固定的装着を容易とすることができる。
【００３９】
また、前述の実施例１においては、係止部１１３は面ファスナーを有するとしたが、心電図用電極保持装置１を手に固定できるものであれば、これに限定されない。例えば、ホックやボタン等であってもよい。
【００４０】
さらに、前述の実施例１においては、右手若しくは左手のどちらか一方に心電図用電極保持装置１を装着することとしたが、両手に心電図用電極保持装置１を装着し、電極の数を多くするようにしてもよい。
【００４１】
2.心電図用電極保持装置の装着位置
前述の実施例１においては、心電図用電極保持装置１を人指し指〜小指の中手骨と手根骨との接続部あたりに装着することとしたが、これに限定されない。例えば人指し指〜小指の中手骨あたりや基節骨あたりであってもよい。さらに、手首等に装着するようにしてもよい。
【００４２】
3.電極
前述の実施例１においては、電極１３を構成する１つの接地電極１３１と２つの誘導電極１３３は、全て掌に対して外側に向かって配置されている。しかし、図１０に示すように、２つの誘導電極１３３は掌に対して外側に向かって配置し、接地電極１３１は掌側に向かって配置するようにしてもよい。このように、接地電極１３１を掌側に向かって配置するようにすることによって、安定した接地電位を得ることができるので、心電図におけるピークを感知しやすくなることがある。このことは、心臓が位置するのとは反対の方向の手に心電図用電極保持装置１を装着する場合に特に有利な効果となる。心臓からより遠い位置に接地電位をとることによって、安定した接地電位をとることが可能となるからである。
【００４３】
また、前述の実施例１においては、電極配置部１１１において電極１３を横一列に配置するように構成したが、これに限定されない。例えば、図１１に示すように、縦一列に配置するように配置してもよい。この場合、グローブ型の心電図用電極保持装置に接地電極１３１、誘導電極１３３を縦一列に配置するようにすればよい。
【００４４】
また、斜め一列に電極を配置するようにしてもよい。この場合、さらに、中央に配置される接地電極１３１を手の表面に向かう方向に配置するようにしてもよい。さらに、各電極を三角形の頂点に配置するようにしてもよい。
【００４５】
また、前述の実施例１においては、１つの接地電極１３１と２つの誘導電極１３３によって電極１３を構成したが、これに限定されない。例えば、１つの接地電極と１つの誘導電極によって電極１３を構成するようにしてもよい。この場合、１つの誘導電極において左側を正（＋）極、右側を負（−）極とする誘導電極を用いるようにしてもよい。
【００４６】
さらに、電極の数は３つに限定されず、４以上であってもよい。
【００４７】
さらに、前述の実施例１においては、電極１３は、電極配置部１１１に固定的に配置されている。しかし、電極１３を取り外し可能なように構成してもよい。例えば、図１２に示すように、電極１３を取り付けるためのポケット１１９を電極配置部１１１に設けておくようにしてもよい。また、図１３に示すように、面ファスナー１２１等を利用して電極１３を一体として取り外し可能なように構成してもよい。このように、電極１３を取り外し可能なように構成することによって、掌等の体表にふれる電極配置部１１１等を容易に洗濯することが可能となり、清潔さを保つことができる。
【００４８】
4.材質
前述の実施例１においては、係止部１１３のみについて弾力性を有する材料により構成されているとしたが、電極配置部１１１についても弾力性を有する材料により構成するようにしてもよい。これにより、接地電極１３１及び誘導電極１３３間の間隔を多少調整することが可能となる。したがって、通常の間隔、つまり弾力性が効いていない状態ではうまく心電図がとれない場合には、弾力性が働くようにすることによって、各電極間の間隔を変更することができる。これにより、最もうまく心電図をとることができる各電極の間隔を容易に調整することができる。
【図面の簡単な説明】
【００４９】
【図１】本発明に係る心電図用電極保持装置１の平面図である。
【図２】図１に係る心電図用電極保持装置１を手に装着した状態を示した図である。
【図３】心電図用電極保持装置１の装着方法を説明するための図である。
【図４】心電図用電極保持装置１の装着方法を説明するための図である。
【図５】心電図用電極保持装置１を用いた心電図測定方法を説明するための図である。
【図６】心電図用電極保持装置１を用いた心電図測定方法を説明するための図である。
【図７】心電図用電極保持装置のその他の実施形態を示した図である。
【図８】心電図用電極保持装置のその他の実施形態を示した図である。
【図９】心電図用電極保持装置のその他の実施形態を示した図である。
【図１０】心電図用電極保持装置のその他の実施形態を示した図である。
【図１１】心電図用電極保持装置のその他の実施形態を示した図である。
【図１２】心電図用電極保持装置のその他の実施形態を示した図である。
【図１３】心電図用電極保持装置のその他の実施形態を示した図である。
【図１４】従来の心電図用電極保持装置の一例である。
【符号の説明】
【００５０】
１・・・・・心電図用電極保持装置
１１・・・・・電極保持部
１３・・・・・電極
１１１・・・・・電極配置部
１１３・・・・・係止部
１１５・・・・・マジックテープ（商標）
１３１・・・・・接地電極
１３３・・・・・誘導電極
【図１】
2006346308.tif 000003
【図２】
2006346308.tif 000004
【図３】
2006346308.tif 000005
【図４】
2006346308.tif 000006
【図５】
2006346308.tif 000007
【図６】
2006346308.tif 000008
【図７】
2006346308.tif 000009
【図８】
2006346308.tif 000010
【図９】
2006346308.tif 000011
【図１０】
2006346308.tif 000012
【図１１】
2006346308.tif 000013
【図１２】
2006346308.tif 000014
【図１３】
2006346308.tif 000015
【図１４】
2006346308.tif 000016